(57)【要約】【課題】  粘着テープに切り取り用のミシン目を形成した粘着ロールを備えた清掃用具における、使用後における粘着テープを切り取る作業の煩雑さを解消すると共に、捲り取る作業を容易にすることを課題とする。【解決手段】    粘着剤を塗布した粘着面（１１）を外側にして円筒状に捲かれた各粘着シート（１０）を径方向に複数積層し、径方向の最も外側に位置する粘着シート（１０）から順次捲り取って使用する清掃用具において、粘着シート（１０）は、円筒軸方向（Ｙ方向）の少なくとも一端部に粘着剤を塗布しない非粘着部（１３）を形成すると共に、前記粘着面（１１）の円筒周方向（Ｘ方向）の少なくとも一端部に帯状体（１２）を貼付して成り、前記帯状体（１２）の円筒軸方向（Ｙ方向）の少なくとも一端部は、前記非粘着部（１３）と対向して貼付されていないことを特徴とする清掃用具。【選択図】図５
2010284395.tif 000002
【特許請求の範囲】
【請求項１】
粘着剤を塗布した粘着面（１１）を外側にして円筒状に捲かれた各粘着シート（１０）を径方向に複数積層し、径方向の最も外側に位置する粘着シート（１０）から順次捲り取って使用する清掃用具において、各粘着シート（１０）は、円筒軸方向（Ｙ方向）の少なくとも一端部に粘着剤を塗布しない非粘着部（１３）を形成すると共に、前記粘着面（１１）の円筒周方向（Ｘ方向）の少なくとも一端部に帯状体（１２）を貼付して成り、前記帯状体（１２）の円筒軸方向（Ｙ方向）の少なくとも一端部は、前記非粘着部（１３）と径方向に対向して貼付されていないことを特徴とする清掃用具。
【請求項２】
前記帯状体（１２）は、前記一端部から円筒周方向（Ｘ方向）に突出した突出部（１２ａ）を有し、前記突出部（１２ａ）は、粘着シート（１０）の非粘着部（１３）と径方向に対向して貼付されていないことを特徴とする請求項１に記載の清掃用具。
【発明の詳細な説明】
【技術分野】
【０００１】
本発明は、塵、糸くず、毛髪などのゴミを粘着する粘着テープを備えた清掃用具に関する。
【背景技術】
【０００２】
従来、長尺の粘着テープの粘着面を外側に向けて巻いた構成からなる清掃用具が存在する。この清掃用具における長尺の粘着テープには、使用済みの部分を捲って切り離す為のミシン目や、サイドカットの切りしろが巻芯軸方向に沿って形成されている。
【０００３】
しかしながら、粘着テープに形成されたミシン目やサイドカットの切りしろは視覚によって判別し難く、また、必ずミシン目等の端から切り取り始める必要があるため、使用済みの部分を切り取って剥がす作業が煩雑であった。
【０００４】
また、ミシン目などの切り取りラインをまたぐ様に髪の毛等が付着した場合には、髪の毛等が粘着テープを切り取って剥がす作業を妨げるように作用するために、粘着テープを剥がし難くなるのみならず、粘着テープが髪の毛に沿って縦方向に裂けてしまうという問題があった。特に後者は、小型・軽量化や低コストへの配慮から、粘着テープを可及的に薄紙で構成する場合に顕著に表れる問題であった。
【０００５】
そこで、出願人は、上記問題を解決するべく、下記特許文献２に示す清掃用具を既に提案している。この清掃用具は、粘着剤を塗布した粘着面を外側にして円筒状に捲かれた各粘着シートを径方向に複数積層し、径方向の最も外側に位置する粘着シートから順次捲り取って使用する清掃具において、各粘着シートの粘着面の円周方向の一端部分に粘着剤を塗布していない非粘着部を形成した清掃用具であり、非粘着部として、粘着面の円周方向の一端部分に帯状の紙片を重合したものである。
【先行技術文献】
【特許文献】
【０００６】
【特許文献１】公開実用新案  昭和６３年第７６２５８号
【特許文献２】特開２００９−３９５０５
【発明の概要】
【発明が解決しようとする課題】
【０００７】
既述の清掃用具によれば、特許文献１に示す従来技術のように、粘着テープの使用済み部分を切断するためのミシン目等を形成するものではなく、粘着剤を塗布した粘着面を外側にして円筒状に捲かれた各粘着シートを径方向に複数積層し、径方向の最も外側に位置する粘着シートから順次捲り取って使用する清掃具であって、各粘着シートの粘着面の円周方向の一端部分に粘着剤を塗布していない非粘着部を形成したものであるので、ミシン目等の加工が不要であると共に、ミシン目等に沿って使用済み部分を切り取る必要がないので、容易に使用済みの粘着シートを捲り取って剥がすことができる。
【０００８】
また、捲りしろとなる粘着シートの端部分に非粘着部を形成したことから、手で触れることによって容易に捲りしろを判別することができるので、この点からも粘着シートを捲り取って剥がす作業が容易になる。
【０００９】
このように、特許文献２に示す清掃用具は有益なものであるが、出願人は、さらに鋭意研究を進めた結果、上記利点を備えながら、捲り取って剥がす作業を更に容易にするための清掃用具を新たに提案するものである。
【課題を解決するための手段】
【００１０】
本発明は、粘着剤を塗布した粘着面（１１）を外側にして円筒状に捲かれた各粘着シート（１０）を径方向に複数積層し、径方向の最も外側に位置する粘着シート（１０）から順次捲り取って使用する清掃用具において、粘着シート（１０）は、円筒軸方向（Ｙ方向）の少なくとも一端部に粘着剤を塗布しない非粘着部（１３）を形成すると共に、前記粘着面（１１）の円筒周方向（Ｘ方向）の少なくとも一端部に外側面に粘着剤を塗布していない非粘着シートを貼付して成り、前記非粘着シートの円筒軸方向（Ｙ方向）の少なくとも一端部は、前記非粘着部（１３）と対向して貼付されていないことを特徴とする清掃用具である。前記非粘着シートの円筒軸方向（Ｙ方向）の少なくとも一端部を除く部分は前記粘着面（１１）と径方向に対向して粘着剤を介して貼付されているのに対して、外側面に粘着材を塗布していない非粘着シートの円筒軸方向（Ｙ方向）の一端部又は両端部は前記非粘着部（１３）と径方向に対向して貼付されていないことを特徴とする清掃用具である。
【００１１】
本発明は、粘着剤を塗布した粘着面（１１）を外側にして円筒状に捲かれた各粘着シート（１０）を径方向に複数積層し、径方向の最も外側に位置する粘着シート（１０）から順次捲り取って使用する清掃用具において、粘着シート（１０）は、円筒軸方向（Ｙ方向）の少なくとも一端部に粘着剤を塗布しない非粘着部（１３）を形成すると共に、前記粘着面（１１）の円筒周方向（Ｘ方向）の少なくとも一端部に帯状体（１２）を貼付して成り、前記帯状体（１２）の円筒軸方向（Ｙ方向）の少なくとも一端部は、前記非粘着部（１３）と径方向に対向して貼付されていないことを特徴とする清掃用具である。外側面に粘着材を塗布していない帯状体（１２）は、円筒軸方向（Ｙ方向）の少なくとも一端部を除く部分は前記粘着面（１１）と径方向に対向して粘着剤を介して貼付されているのに対して、帯状体（１２）の円筒軸方向（Ｙ方向）の一端部又は両端部は前記非粘着部（１３）と径方向に対向して貼付されていないことを特徴とする清掃用具である。
【００１２】
また、本発明の帯状体（１２）は、前記一端部から円筒周方向（Ｘ方向）に突出した突出部（１２ａ）を有し、前記突出部（１２ａ）は、粘着シート（１０）の非粘着部（１３）と径方向に対向して貼付されていないことを特徴とする上記清掃用具である。
【００１３】
本発明のように、粘着シート（１０）において、円筒軸方向（Ｙ方向）の一端部又は両端部に粘着剤を塗布しない非粘着部（１３）を形成すると共に、粘着面（１１）の円筒周方向（Ｘ方向）の一端部又は両端部に帯状体（１２）を貼付して成り、前記帯状体（１２）における円筒軸方向（Ｙ方向）の一端部又は両端部は、前記非粘着部（１３）と対向して貼付されていないものであれば、図３に示すように、当該帯状体（１２）の一端部又は両端部を摘んで引き上げることができので、図５に示す使用状態においては、帯状体（１２）の一端部を摘み、図中矢印方向に外側の粘着シートを捲り取ることができるので、操作性は非常に良い。
【００１４】
そして、摘み易さを考慮して、図２等に示すとおり、帯状体（１２）の一端部から、円筒周方向（Ｘ方向）の先端側（ＸＦ）に突出する突出部（１２ａ）を設けるのが好ましい。突出部（１２ａ）の一部又は全部のいずれかが、図５に示すように、粘着シート（１０）の非粘着部（１３）と対向して貼付されなければ良く、特に、突出部（１２ａ）の円筒軸方向長さ（Ｙ方向長さ）を、前記非粘着部（１３）の円筒軸方向長さ（Ｙ方向長さ）以内にすれば、突出部（１２ａ）の一部ではなく全部が前記非粘着部（１３）と対向して貼付されないため、突出部（１２ａ）を摘んで引き上げることが容易になる。
【００１５】
また、本発明は、内側面に剥離処理を施す一方、外側面に粘着剤を塗布して粘着面（１１）を形成し、前記粘着面（１１）を外側にして円筒状に捲いた粘着シート（１０）を径方向に複数積層し、径方向の最も外側に位置する粘着シート（１０）から順次捲り取って使用する清掃用具において、各粘着シート（１０）は、円筒軸方向（Ｙ方向）の少なくとも一端部に粘着剤を塗布しない非粘着部（１３）を形成すると共に、前記粘着面（１１）の円筒周方向（Ｘ方向）の少なくとも一端部に帯状体（１２）を貼付して成り、前記帯状体（１２）における円筒軸方向（Ｙ方向）の少なくとも一端部は、前記非粘着部（１３）と対向して貼付されておらず、且つ、前記帯状体（１２）は、前記一端部から円筒周方向（Ｘ方向）に突出した突出部（１２ａ）を有し、前記突出部（１２ａ）は、粘着シート（１０）の非粘着部（１３）に径方向に対向して貼付されていないことを特徴とする清掃用具である。
【００１６】
また、本発明は、内側面に剥離処理を施すと共に外側面に粘着剤を塗布して粘着面（１１）を形成し、前記粘着面（１１）を外側にして円筒状に捲いた粘着シート（１０）を径方向に複数積層し、径方向の最も外側に位置する粘着シート（１０）から順次捲り取って使用する清掃用具において、四角形状に形成された各粘着シート（１０）は、円筒軸方向（Ｙ方向）の一端部から他端方向に所定範囲を隔てた位置までの領域に粘着剤を塗布しない非粘着部（１３）を形成すると共に、前記粘着面（１１）の円筒周方向（Ｘ方向）の少なくとも一端部から他端方向に所定範囲を隔てた位置までの領域に帯状体（１２）を貼付して成り、前記帯状体（１２）の円筒軸方向（Ｙ方向）の一端部には、円筒周方向（Ｘ方向）に突出した突出部（１２ａ）が形成されており、前記一端部及び突出部（１２ａ）は、粘着シート（１０）の非粘着部（１３）に径方向に対向して貼付されていないことを特徴とする清掃用具である。
【００１７】
また、本発明は、内側面に剥離処理を施すと共に外側面に粘着剤を塗布して粘着面（１１）を形成し、前記粘着面（１１）を外側にして円筒状に捲いた粘着シート（１０）を径方向に複数積層し、径方向の最も外側に位置する粘着シート（１０）から順次捲り取って使用する清掃用具において、四角形状に形成された各粘着シート（１０）は、円筒軸方向（Ｙ方向）の両端辺部を除いて粘着剤を塗布することにより前記粘着面（１１）及び粘着剤を塗布しない非粘着部（１３）を形成すると共に、前記粘着面（１１）の円筒周方向（Ｘ方向）の少なくとも一端部から他端方向に所定範囲を隔てた位置までの領域に帯状体（１２）を貼付して成り、前記帯状体（１２）の円筒軸方向（Ｙ方向）の一端部には、円筒周方向（Ｘ方向）に突出した突出部（１２ａ）が形成されており、前記一端部及び突出部（１２ａ）は、粘着シート（１０）の非粘着部（１３）に径方向に対向して貼付されていないことを特徴とする清掃用具である。
【００１８】
上記各発明において、突出部（１２ａ）の円筒軸方向長さは、非粘着部（１３）の同長さ以内であるのが好ましいが、それよりも若干長く形成された場合でも、突出部（１２ａ）の一部が非粘着部（１３）と径方向に対向して貼付されていないものであれば良い。
【発明の効果】
【００１９】
本発明によれば、清掃後にゴミ等が付着した使用済みの一枚の粘着シートを捲る際に、帯状体の少なくとも一端部を摘んで引き上げることができので、捲り取り作業が非常に容易になる。
【図面の簡単な説明】
【００２０】
【図１】本実施態様の粘着ロールを示す斜視図
【図２】本実施態様の粘着シートを示す斜視図
【図３】本実施態様の粘着シートを示す斜視図
【図４】本実施態様の粘着ロールの断面図
【図５】本実施態様の清掃用具を示す斜視図
【発明を実施するための形態】
【００２１】
本発明の実施態様を図１から図５に示す。図１は、複数の粘着シート１０が互いに粘着することによって構成される粘着テープＴを巻芯Ｓに巻き取った状態から一部を展開して引き出した状態を示す粘着ロールＲの斜視図であり、図２及び３は粘着シート１０の斜視図、図４は複数の粘着シート１０によって構成される粘着テープＴを巻芯Ｓに巻き取った状態の粘着ロールＲの側断面図、図５は巻芯Ｓに粘着テープＴを巻き取って構成された粘着ロールＲをハンドル付きの保持具Ｈに取り付けた状態を示す図である。
【００２２】
本実施態様に係る清掃用具は、粘着剤を塗布した粘着面１１を外側にして円筒状に成形された各粘着シート１０を、径方向の内側から外側に順次積層してゆき、所定の使用頻度に対応する枚数の粘着シート１０を巻き付けてなり、径方向の最も外側に位置する粘着シート１０から順次捲り取って使用する清掃用具である。
【００２３】
粘着シート１０は、厚紙等で構成される巻芯Ｓの略円周分の長さ（巻き取り方向長さないし円周方向長さ）に形成されているが、仔細にいえば、順次粘着シート１０を巻き付けて構成してゆくと粘着シート１０の厚みによって外側に行くほど直径が大きくなるので、外側の粘着シート１０ほど長さが除々に長くなるように形成されている。なお、厚紙等で形成される巻芯Ｓは必ずしも必要ではない。
【００２４】
粘着シート１０は、図２等に示すとおり、矩形状ないし四角形状の基材からなり、基材の外側面の所定領域に粘着剤を塗布して粘着面１１を形成し、基材の内側面には剥離処理を施して剥離処理面を形成している。
【００２５】
粘着シート１０の基材は、各種繊維を膠着させて製造した一般的な紙が用いられるが、プラスチックフィルム、布その他の公知材料を使用することができる。
【００２６】
粘着シート１０に形成される粘着面１１に塗布される粘着剤としては、一般的に用いられるゴム系やアクリル系の粘着剤を使用することができる。
【００２７】
粘着シート１０の内側面に施される剥離処理としては、一般に用いられるフッ素系樹脂やシリコン系樹脂からなる剥離処理を施すことができる。
【００２８】
各粘着シート１０は、径方向内側の粘着シート１０の外側面に施された粘着面１１に対して、径方向内側外側の粘着シート１０の内側面に施された剥離処理面が粘着しており、使用後は外側の粘着シート１０を捲り取る。
【００２９】
粘着シート１０の外側面には、既述のとおり、粘着剤を塗布した粘着面１１が形成されているが、図２等に示すとおり、図中Ｙ方向（円筒軸方向）の両端部には、粘着剤を塗布しない矩形帯状の領域である非粘着部１３、１３を形成している。
【００３０】
また、粘着シート１０の外側面のうち、図中Ｘ方向（円筒周方向）の先端部には、非粘着シートに相当する帯状体１２が貼付されている。
【００３１】
帯状体１２は、図２に示すとおり、粘着シート１０と径方向に対向して部分的に貼付される基部と、基部の端部から一体的に延出すると共に粘着シート１０と径方向に対向することなく周方向に突出した突出部１２ａとからなる。
【００３２】
帯状体１２は、その長手方向（図中Ｙ方向）の一端部において、粘着シート１０の先端（ＸＦ方向端）よりも先方（ＸＦ方向）に延出ないし突出する突出部１２ａを形成している。帯状体１２の長手方向（図中Ｙ方向）の一端部の長さ（Ｘ方向長さ）を他の部分よりも長く形成して略Ｌ字状の帯状体にしたものである。突出部１２ａの先端は、摘み易さを考慮して円弧状に形成されている。突出部１２ａの図中Ｙ方向長さは、非粘着部１３のＹ方向長さに等しい。なお、帯状体１２は、各種繊維を膠着させて製造した一般的な紙が用いられるが、プラスチックフィルム、布その他の公知材料を使用することができる。
【００３３】
帯状体１２は、粘着シート１０の図中Ｘ方向の先端部において、粘着シート１０の外側面に塗布された粘着剤を介して貼付される。帯状体１２は、内外両面共に粘着剤を塗布していない紙片であり、剥離処理も施されていない。帯状体１２の内側面（粘着シート１０との対接面）には剥離処理は施されていないため、帯状体１２は粘着シート１０に貼付されることになる。帯状体１２は、四角形状の粘着シート１０の円筒周方向（Ｘ方向）の先端辺に対して、帯状体（１２）のうち一端部分を除いた部分の先端辺（円筒周方向の先端側の長辺）が沿うよう貼付される。
【００３４】
図５に示すように、本発明の粘着ロールＲにおいて、外側の粘着シート１０における帯状体１２は、当該粘着シート１０の非粘着部１３の上方（径方向外側）に重なるために貼付されない一端部を有し、且つ、内側の粘着シート１０の非粘着部１３の上方（径方向外側）に重なり、粘着シート１０に対して粘着されない前記一端部から延出する突出部１２ａを有する。
【００３５】
したがって、本発明は、帯状体１２の一端部及び突出部１２ａは、外側の粘着シート１０及び内側の粘着シート１０に粘着しないため、摘み上げることが容易であり、使用済みの外側の粘着シート１０を容易に捲り取ることができるので、非常に作業性が良い。
【００３６】
また、本発明は、ミシン目等の加工が不要であると共にミシン目等に沿って使用済み部分を切り取る必要がないので、容易に使用済みの粘着シートを捲り取って剥がすことができる。
【００３７】
また、捲りしろとなる粘着シートの端部分に、粘着剤を塗布していない非粘着部を形成したことから、手で触れることによって容易に捲りしろを判別することができる。
【００３８】
また、最も外側の粘着シートの先端側（ＸＦ側）の一端に帯状体を設けた構成にすると共に、当該粘着シートの後端側（ＸＢ側）の他端を当該粘着シートの径方向内側に重ね合わさるようにして円筒状に巻き付けた構成であるから、外側の粘着シートの先端及び後端がカーペット等の清掃床面に対して粘着しないため（粘着シートの先端は非粘着部であり、後端は当該粘着シートの内側に重ね合わさるように巻き付けられて外側に露出していないので、清掃床面に対して粘着しない。）、清掃用具を使用する際に手前方向（図４の矢印方向とは反対方向）に回転させた際に発生する可能性のある「反物現象」ないし「レール現象」（粘着シートがカーペット等の清掃面に付着して引き出される現象）を可及的に防止することができる。
【００３９】
そして、粘着シートの先端に帯状体を重合して形成することにより、粘着シートの先端に厚みを持たせることができることから、粘着シートをつかみ易く剥がす作業が容易になるのみならず、清掃後において、巻芯方向に形成されたミシン目をまたぐ様に（交差する用に）髪の毛などが付着している場合でも、厚みによって補強されることから、粘着シートが髪の毛に沿って縦方向に裂けてしまうという従来技術の問題をも解消しており、容易に裂けることがない。
【００４０】
また、帯状体の色を青色や黄色からなる他色紙で形成する等、粘着面の色と異なる他の色にすれば、手で触ることによって容易にめくりしろが判別できることに加えて、視覚によっても判別が可能となり、より明確に判別することができるユニバーサルデザイン的な効果がある。
【００４１】
また、帯状体には、捲り取る方向を分かり易くするために、捲り取る方向を示す印（例えば矢印）を印刷しておくのが好ましい。この場合は、粘着剤などの塗布された表面のように印刷工程が難しいという問題がなく、製造工程が容易になる。また、販売促進ツール等として使用する場合には、帯状体に、会社名や商品名を示す文字などを印刷することもできる。
【００４２】
また、帯状体において、長手方向の一端のみならず両端に突出部を形成し、どちらでも摘むことができるように構成しても良い。
【００４３】
ところで、積層されて径方向に積層される粘着シートに関して、外側の粘着シートの後端と、内側の粘着シートの先端とが密接した状態で積層されてしまうと、使用済みの外側の粘着シートを捲り始める際に、外側の粘着シートの後端の捲り上がりにつられて、内側の粘着シートの先端が捲り上がる可能性があるため（外側の粘着シートの表面に塗布された粘着剤と、内側の粘着シートの表面に塗布された粘着剤とが融合して互いに付着する場合がある。）、図４に示すとおり、径方向に積層して隣接する粘着シートは、外側の粘着シート１０の後端１０Ｅと、内側の粘着シート１０´の先端１０´Ｓと所定間隔を介して積層すると共に、帯状体１２の突出部１２ａの先端との間にも所定間隔Ｔ１を介して積層するのが好ましい。
【００４４】
また、外側の粘着シートの後端と、内側の粘着シートの先端（非粘着部）とが密接した状態で積層されてしまうと、外側の粘着シートの先端近くに、剥離処理面と非粘着部とが積層する非粘着箇所が形成される。すなわち、外側の粘着シートの裏面（剥離処理面）と、これに積層される内側の粘着シートの非粘着部とが重合するため、いずれにも粘着剤が塗布されていない構成部分同士が積層されて粘着の弱い箇所が外側の粘着シートのめくり始め近くに形成されるため、清掃中に外側の粘着シートが剥がれ易い状態になり得る、この意味からも上記のように構成するのが好ましい。
【００４５】
なお、図４の所定間隔Ｔ１に相当する部分において、外側の粘着シートと内側の粘着シートの径方向の間に空間があるように図示されているが、説明の便宜上のものであり、実際には各粘着シートは基材の柔軟性によってほぼ径方向に密着した状態で積層されている。
【符号の説明】
【００４６】
Ｓ  巻芯
Ｔ  粘着テープ
Ｒ  粘着ロール
Ｈ  保持具
１０  粘着シート
１１  粘着面
１２  帯状体（非粘着シート）
１３  非粘着部
【図１】
2010284395.tif 000003
【図２】
2010284395.tif 000004
【図３】
2010284395.tif 000005
【図４】
2010284395.tif 000006
【図５】
2010284395.tif 000007